(57)【要約】      （修正有）【課題】ユーザ装置がパケットデータネットワーク（ＰＤＮ）接続サービスを提供する移動ネットワークにアクセスする移動通信システムにおけるサービス品質ＱｏＳ制御をサポートする方法を提供する。【解決手段】移動ネットワークは、信頼できる非３ＧＰＰアクセスネットワーク（ＴＮＡＮ）のアクセスネットワークゲートウェイ（ＡＮ−ＧＷ）と３ＧＰＰコアネットワーク（ＣＮ）のＰＤＮ−ＧＷとの間のインターフェースを介して前記信頼できるＴＮＡＮによりアクセスされるＣＮを含む。ＵＥに受信されたＱｏＳ制御情報は、ＵＥに、ＡＮ−ＧＷを介してＰＤＮ−ＧＷに対してＵＥにより送信されるアップリンクトラフィックフローを、アップリンクトラフィックへのＴＮＡＮ接続性ＱｏＳと関連付ける。【選択図】図１
2018061266.tif 000002
【特許請求の範囲】
【請求項１】
ユーザ装置がパケットデータネットワークＰＤＮ接続サービスを提供する移動ネットワークにアクセスする移動通信システムにおけるサービス品質ＱｏＳ制御をサポートする方法であって、
前記移動ネットワークは、信頼できる非３ＧＰＰアクセスネットワーク（ＴＮＡＮ）のアクセスネットワークゲートウェイＡＮ−ＧＷと３ＧＰＰコアネットワークＣＮのＰＤＮゲートウェイＰＤＮ−ＧＷとの間のインターフェースを介して前記信頼できる非３ＧＰＰアクセスネットワーク（ＴＮＡＮ）によりアクセスされる前記３ＧＰＰ  ＣＮを含み、
前記方法は、前記ＵＥに受信されたＱｏＳ制御情報に基づく、前記ＵＥからのアップリンクトラフィックに対する３ＧＰＰ  ＣＮ起動のＱｏＳ制御のサポートを含み、
前記ＱｏＳ制御情報はＵＥに、アクセスネットワークゲートウェイＡＮ−ＧＷを介してＰＤＮゲートウェイＰＤＮ−ＧＷに対してＵＥにより送信されるアップリンクトラフィックフローを、アップリンクトラフィックへのＴＮＡＮ接続性ＱｏＳと関連付けることを可能とさせる、方法。
【請求項２】
前記ＵＥに受信された前記ＱｏＳ制御情報が、アップリンクトラフィックフローと関連付けられたパケットフィルタ情報を含む、請求項１に記載の方法。
【請求項３】
前記ＵＥに受信された前記ＱｏＳ制御情報が、アップリンクトラフィックフローを３ＧＰＰ  ＣＮ接続性ＱｏＳと関連付ける第１のＱｏＳ制御情報と、３ＧＰＰ  ＣＮ接続性ＱｏＳをアップリンクトラフィックへのＴＮＡＮ接続性ＱｏＳにマッピングする第２のＱｏＳ制御情報を含む、請求項１または２に記載の方法。
【請求項４】
３ＧＰＰ  ＣＮ接続性ＱｏＳパラメータ情報が、３ＧＰＰ  ＱｏＳパラメータ情報を含む、請求項３に記載の方法。
【請求項５】
ＴＮＡＮ接続性ＱｏＳパラメータ情報が、ＩＰレベルＱｏＳパラメータ情報を含む、請求項１から４のいずれか一項に記載の方法。
【請求項６】
前記ＡＮ−ＧＷが、アップリンクトラフィックフローを３ＧＰＰ  ＣＮ接続性ＱｏＳと関連付ける第１のＱｏＳ制御情報を前記ＰＤＮ−ＧＷから、またはポリシーコントローラ（ＰＣＲＦ）から受信することを含む、請求項１から５のいずれか一項に記載の方法。
【請求項７】
前記ＡＮ−ＧＷが、３ＧＰＰ  ＣＮ接続性ＱｏＳからの、アップリンクトラフィックへのＴＮＡＮ接続性ＱｏＳに対するマッピングを生成することを含む、請求項１から６のいずれか一項に記載の方法。
【請求項８】
前記ＡＮ−ＧＷが、前記ＡＮ−ＧＷと前記ＵＥとの間のシグナリングプロトコルを使用して、アップリンクトラフィックへの前記ＱｏＳ制御情報を前記ＵＥに送信することを含む、請求項１から７のいずれか一項に記載の方法。
【請求項９】
前記ＵＥが、前記ＡＮ−ＧＷと前記ＵＥとの間のシグナリングプロトコルを使用して、前記ＡＮ−ＧＷからの前記ＱｏＳ制御情報の受信を確認応答することを含む、請求項１から８のいずれか一項に記載の方法。
【請求項１０】
ＴＮＡＮ接続性ＱｏＳの、信頼できる非３ＧＰＰ無線ＱｏＳへのマッピングが、前記信頼できる非３ＧＰＰアクセスネットワーク（ＴＮＡＮ）の信頼できる非３ＧＰＰ無線コントローラにより、無線のシグナリングを介してＵＥに伝達される、請求項１から９のいずれか一項に記載の方法。
【請求項１１】
ＴＮＡＮ接続性ＱｏＳの、信頼できる非３ＧＰＰ無線ＱｏＳへのマッピングに関する情報が、アクセスネットワークゲートウェイＡＮ−ＧＷと前記信頼できる非３ＧＰＰアクセスネットワーク（ＴＮＡＮ）の信頼できる非３ＧＰＰ無線コントローラとの間で、シグナリングを介して交換される、請求項１から１０のいずれか一項に記載の方法。
【請求項１２】
前記ＵＥが、アップリンクトラフィックフローをアップリンクトラフィックへの前記ＴＮＡＮ接続性ＱｏＳにマッピングするために、前記ＡＮ−ＧＷからの前記ＱｏＳ制御情報を使用することを含む、請求項１から１１のいずれか一項に記載の方法。
【請求項１３】
移動通信システムのエンティティであって、
請求項１から１２のいずれか一項に記載の方法を実行するように構成された、エンティティ。
【請求項１４】
ユーザ装置であって、
請求項１から１２のいずれか一項に記載の方法を実行するように構成された、ユーザ装置。
【発明の詳細な説明】
【技術分野】
【０００１】
本発明は全体として、移動通信ネットワークおよびシステムに関する。
【背景技術】
【０００２】
移動通信ネットワークおよびシステムの詳細な説明は特に、例えば３ＧＰＰ（第３世代パートナーシッププロジェクト）などの標準化団体が出版した技術仕様書などの文献に書かれている。
【０００３】
一般に、パケット移動通信システムでは、ユーザ装置（ＵＥ）はパケットデータネットワーク（ＰＤＮ）接続サービス（典型的にはＩＰ接続サービス）を提供する移動ネットワークにアクセスする。移動ネットワークは全体として、アクセスネットワーク（ＡＮ）にアクセスされる、コアネットワーク（ＣＮ）を含む。ＣＮは全体として、とりわけ、外部のＰＤＮ（典型的には、インターネットやイントラネットなどのＩＰネットワーク、または例えばＩＭＳネットワークなどのオペレータのＩＰネットワーク）とインターフェース接続するＰＤＮゲートウェイ（ＰＤＮ−ＧＷ）を含む。
【０００４】
パケット移動通信システムの例としては、進化型パケットシステム（ＥＰＳ）がある。ＥＰＳネットワークは、例えばＥ−ＵＴＲＡＮなどの３ＧＰＰアクセスネットワーク（３ＧＰＰ  ＡＮ）や、例えばＷＬＡＮなどの非３ＧＰＰアクセスネットワーク（非３ＧＰＰ  ＡＮ）にアクセスされ得るＣＮ（進化型パケットコア（ＥＰＣ）と呼ばれる）を含む。Ｅ−ＵＴＲＡＮでのＥＰＣへの３ＧＰＰアクセスは、特に３ＧＰＰ  ＴＳ  ２３．４０１で定められている。ＥＰＣへの非３ＧＰＰアクセスは、特に３ＧＰＰ  ＴＳ  ２３．４０２で定められている。
【０００５】
ＥＰＣへの非３ＧＰＰアクセスについて、信頼できる非３ＧＰＰ  ＡＮと信頼できない非３ＧＰＰ  ＡＮの違いは、特に３ＧＰＰ  ＴＳ  ２３．４０２および３ＧＰＰ  ＴＳ  ３３．４０２で説明されている。３ＧＰＰ  ＴＳ  ２３．４０２で説明されているように、信頼できる非３ＧＰＰ  ＡＮは、ＧＴＰ（ＧＰＲＳトンネリングプロトコル）またはＰＭＩＰ（プロキシモバイルＩＰ）に基づき得るＳ２ａインターフェースと呼ばれるインターフェースを介して直接、ＰＤＮ−ＧＷ（ＥＰＣのＰＧＷとも呼ばれる）とインターフェース接続する。
【０００６】
ＥＰＣへの信頼できるＷＬＡＮアクセスのアーキテクチャの例が、３ＧＰＰ  ＴＳ  ２３．４０２から抜粋した図１に描写されている。信頼できるＷＬＡＮアクセスネットワーク（ＴＷＡＮ）内での機能的分割が、３ＧＰＰ  ＴＳ  ２３．４０２から抜粋した図２に描写されている。ＴＷＡＮは特に、ＵＥとインターフェース接続するＷＬＡＮアクセスネットワークと、Ｓ２ａインターフェースを終端する信頼できるＷＬＡＮアクセスゲートウェイ（ＴＷＡＧ）を含む。このアーキテクチャは任意の非３ＧＰＰアクセスネットワークに対していずれにしても包括的であり、信頼できるＷＬＡＮアクセスネットワーク（ＴＷＡＮ）は、任意の信頼できる非３ＧＰＰアクセスネットワーク（ＴＮＡＮ）の単なる例とみなされる。
【０００７】
移動ネットワーク（ＥＰＳネットワークなど）上でＵＥとＰＤＮ／ＩＰネットワークとの間で確立されるＰＤＮ／ＩＰ接続は、様々なＩＰベースのユーザサービスやアプリケーションにアクセスするために使用され得る。
【０００８】
サービス品質（ＱｏＳ）は、そのようなシステムで最も重要な課題である。ＱｏＳサポートはネットワークオペレータにとって、異なるＱｏＳ要求を持つトラフィックに対して異なる処置を提供することにより、サービスを差別化する道具となる。ネットワーク起動のＱｏＳ制御は、ネットワークオペレータが提供するサービスのＱｏＳに対する制御をネットワークオペレータに与え、またネットワークによって割り当てられたＱｏＳを制御するためのシグナリング手順のセットを含む。ネットワーク起動のＱｏＳ制御および関連するシグナリング手順は特に、３ＧＰＰ  ＴＳ  ２３．２０３で定められている。ＥＰＳでは、これらのシグナリング手順は、ＥＰＣのポリシーおよび課金ルール機能（ＰＣＲＦ）が、ＵＥに対して、特定のユーザサービスまたはアプリケーションの特定のＱｏＳにより専用ベアラの設定または変更を開始する手順を含む。図１で描写されているアーキテクチャの例では、そのようなシグナリングは、ＳＳ／Ｓ８／Ｓ２ａに対して定義されるシグナリング（ＧＴＰ／ＰＭＩＰ）を使用して、アクセスネットワークゲートウェイＡＮ−ＧＷ（例えば３ＧＰＰアクセスネットワークにＳ５／Ｓ８を介して接続するサービングゲートウェイ、信頼できるＷＬＡＮアクセスネットワークにＳ２ａを介して接続するＴＷＡＧ）への関連するシグナリングにＰＧＷによって変換される、Ｇｘインターフェースを介するＰＣＲＦとＰＧＷとの間のシグナリングを含む。プロキシモバイルＩＰがアクセスネットワークゲートウェイＡＮ−ＧＷへのシグナリングプロトコルとして採用される場合、ＤｉａｍｅｔｅｒベースのＧｘａインターフェースが、ＱｏＳリクエストをＰＣＲＦからアクセスネットワークゲートウェイＡＮ−ＧＷに直接伝達するために使用され得る（この場合、ＱｏＳリクエストはＰＧＷに処理されない）。
【先行技術文献】
【非特許文献】
【０００９】
【非特許文献１】３ＧＰＰ  ＴＳ  ２３．４０１
【非特許文献２】３ＧＰＰ  ＴＳ  ２３．４０２
【非特許文献３】３ＧＰＰ  ＴＳ  ３３．４０２
【非特許文献４】３ＧＰＰ  ＴＳ  ２３．２０３
【非特許文献５】ＩＥＴＦ  ＲＦＣ  ２４７４
【非特許文献６】３ＧＰＰ  ＴＳ  ２４．００８
【非特許文献７】３ＧＰＰ  ＴＳ  ２９．２７４（条項８．１５および８．１９）
【発明の概要】
【発明が解決しようとする課題】
【００１０】
しかしながら、ＥＰＣなどの３ＧＰＰ  ＣＮへの非３ＧＰＰアクセスに対するネットワーク起動のＱｏＳ制御の問題は、ＵＥがアップリンクトラフィックに対して適切なＱｏＳを確実に適用するようにすることである。このような問題が解決されなければ、アップリンクトラフィックは適正なＱｏＳによって処理されないことがあり、特に高いＱｏＳ要求を持つユーザサービスまたはアプリケーション（例えばボイスオーバーＩＭＳなどのリアルタイムユーザサービスまたはアプリケーションなど）にとって許容できないことがある。発明者により認識され、後でさらなる詳細が説明される通り、これらの問題に対する包括的な解決策が必要である。さらに全体として、そのようなシステムのＱｏＳ制御および／または性能を改善することが必要である。
【００１１】
本発明の実施形態は特に、これらの必要に取り組む。
【課題を解決するための手段】
【００１２】
これらおよび他の目的は、１つの様態において、ユーザ装置がパケットデータネットワーク（ＰＤＮ）接続サービスを提供する移動ネットワークにアクセスする移動通信システムにおけるサービス品質（ＱｏＳ）制御をサポートする方法により実現され、前記移動ネットワークは、信頼できる非３ＧＰＰアクセスネットワーク（ＴＮＡＮ）のアクセスネットワークゲートウェイＡＮ−ＧＷと３ＧＰＰコアネットワーク（ＣＮ）のＰＤＮゲートウェイＰＤＮ−ＧＷとの間のインターフェースを介して前記信頼できる非３ＧＰＰアクセスネットワーク（ＴＮＡＮ）によりアクセスされる前記３ＧＰＰ  ＣＮを含み、前記方法は、前記ＵＥに受信されたＱｏＳ制御情報に基づく、前記ＵＥからのアップリンクトラフィックに対する３ＧＰＰ  ＣＮ起動のＱｏＳ制御のサポートを含み、前記ＱｏＳ制御情報はＵＥに、アクセスネットワークゲートウェイＡＮ−ＧＷを介してＰＤＮゲートウェイＰＤＮ−ＧＷに対してＵＥにより送信されるアップリンクトラフィックフローを、アップリンクトラフィックへのＴＮＡＮ接続性ＱｏＳと関連付けることを可能とさせる。
【００１３】
これらおよび他の目的は、他の様態において、そのような方法の関連するステップを実行するように構成された移動通信システムの様々なエンティティにより実現され、前記エンティティは、（排他的ではないが）特に以下を含む：ユーザ装置ＵＥ、信頼できる非３ＧＰＰアクセスネットワークゲートウェイ（ＡＮ−ＧＷ）（特に、信頼できるＷＬＡＮアクセスへのＴＷＡＧなど）。
【００１４】
本発明の実施形態による装置および／または方法のいくつかの実施形態は、単なる例として、また以下の添付図面と関連して描写されている。
【図面の簡単な説明】
【００１５】
【図１】ＥＰＣへの信頼できるＷＬＡＮアクセスのアーキテクチャの例を思い起こすことを目的とした図である。
【図２】信頼できるＷＬＡＮの機能的分割の例を思い起こすことを目的とした図である。
【図３】本発明の実施形態を利用した、ＥＰＣへの信頼できるＷＬＡＮアクセスのアーキテクチャの例を描写することを目的とした図である。
【発明を実施するための形態】
【００１６】
本発明の様々な実施形態および／または様態は、ＥＰＣへの信頼できるＷＬＡＮアクセスおよびＥＰＣ起動のＱｏＳ制御の例により、以下でさらに詳細が説明される。しかしながら、本発明はこの例に限定されないこと、およびより全体として、３ＧＰＰ  ＣＮへの信頼できる非３ＧＰＰアクセス、および３ＧＰＰ−ＣＮ起動のＱｏＳ制御に適用されることが理解されよう。
【００１７】
信頼できるＷＬＡＮを介したＥＰＣの端末（ＵＥ）とＰＤＮゲートウェイ（ＰＧＷ）との間の接続の確立／監視／解放は、３ＧＰＰの「ＳａＭＯＧ」作業／検討項目において検討されている。
【００１８】
信頼できるＷＬＡＮは、３ＧＰＰ  ＴＳ  ２３．４０２で定義された、少なくとも１つまたは複数のＷＩＦＩアクセスポイント（ＡＰ）および信頼できるＷＬＡＮゲートウェイ（ＴＷＡＧ）から成る。ＴＷＡＧは、ＥＰＣへのＥ−ＵＴＲＡＮアクセスに対するＳＧＷとＰＧＷとの間のＳ５／Ｓ８インターフェースと似ているＳ２ａインターフェースを介して、ＰＧＷとインターフェース接続する。
【００１９】
複数の解決策が提案されており、それらはすべて、ＵＥとＰＧＷとの間のＰＤＮ接続を確立し、解放し、監視するための、ＵＥとＴＷＡＧとの間のプロトコルを含む。ＵＥは常に、ＰＤＮ接続の確立を開始するエンティティである。これらのＰＤＮ接続は、ボイスなどの厳しいＱｏＳ要求を持つサービスには適応されない、ベストエフォート型のサービス品質（ＱｏＳ）と全体として関連付けられた、Ｓ２ａを介するデフォルトベアラにより確立される。
【００２０】
ＵＥは、そのようなＰＤＮ接続を介してアプリケーションと通信し得る。特定のアプリケーション（例えばボイスオーバーＩＭＳ）は、アプリケーション（例えばボイス）のアップリンクおよびダウンリンクトラフィック両方に対する、ＰＧＷとＵＥとの間の適切なＱｏＳによる接続性をリクエストするために、ＰＣＲＦ（ポリシーおよび課金ルール機能）をトリガする。アプリケーションのアップリンクおよびダウンリンクトラフィック両方に対する、ＰＧＷとＵＥとの間の適切なＱｏＳによる接続性をリクエストすることを決定する、ＰＣＲＦに対する他の可能なトリガがある。トラフィック解析／「ディープパケットインスペクション」を実施するノードによるアプリケーションの検出の通知はそのような他の可能なトリガの例である。
【００２１】
ＰＣＲＦはＰＧＷに、適切なＱｏＳ（ＱｏＳクラス識別子ＱＣＩを含む）およびトラフィックフィルタ（ＶｏＩＰなどのアプリケーションのＩＰフローを、適切なベアラ、従って適切なＱｏＳにマッピングするために使用される）を持つ、「専用ベアラ」を設定するようにリクエストする。ＰＧＷは、ＰＧＷでのダウンリンクに対する「トラフィックフィルタ」（ＩＰフローをベアラにマッピングするために使用される）を設定することによりそのようなベアラを確立し、ＧＴＰ／ＰＭＩＰシグナリングメッセージを、適切なＱＣＩおよびアップリンク方向に対する適切なトラフィックフィルタ（ＵＬ  ＴＦＴと呼ばれる）を含むＴＷＡＧに送信する。
【００２２】
いくつかの配備では、ＰＣＲＦは、（ＶｏＩＰなどのアプリケーションの）ＩＰフローをこれらのＩＰフローに必要とされるＱｏＳにマッピングするために使用されるトラフィックフィルタを含む適切なＱｏＳ要求を、ＡＮ−ＧＷ（例えばＴＷＡＧ）に提供するために、ＡＮ−ＧＷ（例えばＴＷＡＧ）と直接接触し得る。Ｄｉａｍｅｔｅｒベースのインターフェースが、この目的のために使用される。
【００２３】
ダウンリンクトラフィックに対して、ＴＷＡＧはＱＣＩをＴＷＡＧとＡＰとの間の適切な転送ＱｏＳにマッピングし、次いでＡＰは転送ＱｏＳを無線ＱｏＳ（例えば８０２．１１  ＱｏＳ）にマッピングする。
【００２４】
専用ベアラが確立された時点で送信されるダウンリンクトラフィックは従って、要求されたＱｏＳを有する。
【００２５】
しかしながら、ＵＥはアップリンクトラフィックを適切なアップリンクＱｏＳに正確にマッピングするためのアップリンクトラフィックフィルタを持たない。
【００２６】
このような問題の可能な解決策は、ＵＥがダウンリンクで受信されたＩＰフローのＩＰパケットを観察し、アップリンクＱｏＳを決定するためにダウンリンクＱｏＳ（例えばＤＳＣＰまたは８０２．１１  ＱｏＳ）を使用することである。しかし、この解決策は一方向アップリンクトラフィックには適合しない。
【００２７】
このような問題に対するより包括的な解決策が必要である。
【００２８】
本発明の実施形態は特に、これらの必要に取り組む。
【００２９】
本発明の第１の実施形態は、非３ＧＰＰアクセスネットワークゲートウェイＡＮ−ＧＷ（＊１）が、アップリンクＩＰフロー（＊３）をＵＥから３ＧＰＰ  ＱｏＳにマッピングする情報をＥＰＣ（＊２）から受信した際にトリガされ得る、以下のステップの少なくとも一部を含む：
【００３０】
−  アクセスネットワークゲートウェイＡＮ−ＧＷはＵＥに、以下のパラメータを含む情報を提供する：アップリンクＩＰフロー（フィルタリングルール）の説明およびその関連するＱｏＳの説明：
例えば、ＡＮ−ＧＷと端末（ＵＥ）との間の任意のシグナリングプロトコルを使用すること、
例えば、前記情報をＡＮ−ＧＷから端末（ＵＥ）に伝達するために前記シグナリングプロトコルの新しいダウンリンクメッセージを追加すること、
ＵＥが例えば、前記シグナリングプロトコルの新しいアップリンクメッセージにより、以前のメッセージを確認応答すること。
【００３１】
−  ＵＥがＡＮ−ＧＷを介してＥＰＣにアップリンクで送信する必要がある各ＩＰパケットに対して、ＵＥは、アップリンクＩＰパケットをこのパケットをＥＰＣに送信するために使用する適切なＱｏＳにマッピングするためのフィルタリングルールを評価する。
【００３２】
＊１：非３ＧＰＰアクセスゲートウェイＡＮ−ＧＷの例は、ＴＷＡＧ（３ＧＰＰ  ＴＳ  ２３．４０２で定義された、信頼できるＷＬＡＮ  ＡＮゲートウェイ）である。
【００３３】
＊２：アクセスゲートウェイＡＮ−ＧＷは、ＰＧＷ（Ｓ２ａを介して）からまたはＰＣＲＦ（例えばＧｘベースのポリシーインターフェースを介して）からマッピングする情報を受信し得る。
【００３４】
＊３：アップリンクフローは、送信元および／または送信先ＩＰアドレスならびに関連するポートおよび／またはアプリケーションによって定義されたＩＰトラフィックに対応し得る。
【００３５】
言い換えれば、ＥＰＣへのＷＬＡＮアクセスおよびＥＰＣ起動のＱｏＳ制御の考慮した例では、上述した第１の実施形態は、ＵＥに受信されたＱｏＳ制御情報に基づく、ＵＥからのアップリンクトラフィックに対するＥＰＣ起動のＱｏＳ制御のサポートを含み、前記ＱｏＳ制御情報はＵＥに、ＴＷＡＧを介してＰＧＷに対してＵＥにより送信されるアップリンクトラフィックフローを、アップリンクトラフィックへの適切なＴＷＡＮ接続性ＱｏＳと関連付けることを可能とさせる。
【００３６】
さらに言い換えれば、これらの第１の実施形態およびこの例では、ＵＥはＴＷＡＧから、アップリンクトラフィックフローをＴＷＡＮ接続性ＱｏＳにマッピングするルールを受信する。
【００３７】
「トラフィックフロー」という用語は、通常持つ意味を持つ。すなわち、共通の特徴を共有するパケットのストリームを意味し、例えばパケットは、同じ送信元および送信先アドレス、送信元および送信先ポート番号、ならびにプロトコルＩＤ（パケットフィルタ情報とも呼ばれる）を持つ。
【００３８】
ＴＷＡＮ接続性ＱｏＳは例えば、ＵＥによりＴＷＡＧを介してＰＧＷに対してアップリンクで送信されるＩＰパケットのＩＰヘッダーでＵＥによって設定される、ＩＥＴＦ  ＲＦＣ  ２４７４（ＤＳＣＰ）パラメータで定義されたＤｉｆｆｅｒｅｎｔｉａｔｅｄ  Ｓｅｒｖｉｃｅｓ  ＣｏｄｅＰｏｉｎｔなどのＩＰレベルＱｏＳパラメータ情報により定義され得る。
【００３９】
ＴＷＡＮ接続性ＱｏＳは、ＥＰＣ接続性ＱｏＳにマッピングされることも、されないこともある。ＥＰＣ接続性ＱｏＳは例えば、トラフィックフローがマッピングされるべき３ＧＰＰ  Ｓ２ａベアラに割り当てられるＱＣＩパラメータなどの３ＧＰＰ  ＱｏＳパラメータ情報により定義され得る。ＴＷＡＮ接続性ＱｏＳとＥＰＣ接続性ＱｏＳとの間のそのようなマッピングが提供されることは好適であり得るが、必要であるわけではない。以下で説明される実施形態では、そのようなマッピングが提供され得る。
【００４０】
本発明の第２の実施形態は、コアネットワーク（例えばＰＧＷ）のゲートウェイが、特定のＱｏＳを持つ専用の（双方向または一方向）ベアラを、シグナリングプロトコル（例えばＧＴＰまたはＰＭＩＰｖ６）によりアクセスネットワークゲートウェイ（例えばＴＷＡＧ）とのそのインターフェースを介して確立または変更する際に提供され得る以下のステップの少なくとも一部を含み得る：
【００４１】
−  アクセスネットワークゲートウェイ（例えばＴＷＡＧ）は、端末にＩＰフローを適切な３ＧＰＰ  ＱｏＳパラメータのセットにマッピングさせる、適切な３ＧＰＰサービス品質およびパケットフィルタリング情報（例えば３ＧＰＰ  ＴＳ  ２４．００８またはＴＳ  ２３．４０２毎に、ＱｏＳ情報のＱＣＩ、ＡＲＰ、ＭＢＲ、およびパケットフィルタリング情報のＵＬ  ＴＦＴ）を、端末に（例えばシグナリングメッセージを介して）提供する。さらに、アクセスネットワークゲートウェイは、ＵＥがアップリンクＩＰパケットに適用されるＩＰ  ＱｏＳを導出できるように、ＡＮ−ＧＷがアップリンクＩＰパケットに適用する、ＩＰ  ＱｏＳ（例えばＤＳＣＰ）と３ＧＰＰ  ＱｏＳ（例えばＱＣＩ）との間のマッピングを提供する。
【００４２】
−  ＵＥがアクセスゲートウェイＡＮ−ＧＷを介してＥＰＣにアップリンクで送信する必要がある各ＩＰパケットに対して、ＵＥは、アップリンクＩＰパケットをこのパケットをＥＰＣに送信するために使用する適切なＱｏＳにマッピングするための、フィルタリングルール（アクセスネットワークゲートウェイＡＮ−ＧＷから受信される）を評価する。これによりパス上のアップリンクエンティティ（例えば無線アクセスポイント、アクセスネットワークゲートウェイＡＮ−ＧＷ）は、以下のことができる
−  ＵＥからＰＧＷまでのパス上で、適正なＱｏＳを提供すること
−  アクセスネットワークゲートウェイＡＮ−ＧＷとコアネットワーク（例えばＰＧＷ）との間で、対応するベアラに対してアップリンクＩＰフローをルーティングすること。
【００４３】
言い換えれば、ＥＰＣへのＷＬＡＮアクセスおよびＥＰＣ起動のＱｏＳ制御の考慮した例では、上述した第２の実施形態は、ＵＥに受信されたＱｏＳ制御情報に基づく、ＵＥからのアップリンクトラフィックに対するＥＰＣ起動のＱｏＳ制御のサポートを含む：
【００４４】
−  前記ＱｏＳ制御情報はＵＥに、ＴＷＡＧを介してＰＧＷに対してＵＥにより送信されるアップリンクトラフィックフローを、アップリンクトラフィックへのＴＷＡＮ接続性ＱｏＳと関連付けることを可能とさせる。
【００４５】
−  前記ＵＥに受信された前記ＱｏＳ制御情報は、アップリンクトラフィックフローを３ＧＰＰ  ＣＮ接続性ＱｏＳと関連付ける第１のＱｏＳ制御情報と、３ＧＰＰ  ＣＮ接続性ＱｏＳをアップリンクトラフィックへのＴＷＡＮ接続性ＱｏＳにマッピングする第２のＱｏＳ制御情報を含む。
【００４６】
さらに言い換えれば、これらの第２の実施形態およびこの例では、ＵＥはＴＷＡＧから、以下のマッピングのルールを受信する：
【００４７】
−  第１に、アップリンクトラフィックフローからＥＰＣ接続性ＱｏＳへのマッピング。
【００４８】
−  第２に、ＥＰＣ接続性ＱｏＳからＴＷＡＮ接続性ＱｏＳへのマッピング。
【００４９】
ＰＧＷとＡＮ−ＧＷとの間のＧＴＰベースのインターフェースの場合について図３でも描写されているように、ＥＰＣへのアクセスを持つ信頼できるＷＬＡＮアクセスネットワークの例では、ＰＣＲＦはＰＧＷに適切なリソースを配分するようにリクエストし、ＰＧＷは適切なＱＣＩを持つ新しい専用ベアラを確立する（３ＧＰＰ  ＴＳ  ２３．２０３で定義されている）か、既存の専用ベアラを変更する（Ｃｒｅａｔｅ  Ｄｅｄｉｃａｔｅｄ  Ｂｅａｒｅｒ  ＲｅｑｕｅｓｔまたはＵｐｄａｔｅ  Ｂｅａｒｅｒ  Ｒｅｑｕｅｓｔ  ＧＴＰ−ｃメッセージを使用して）。各ベアラはＱＣＩと関連付けられている。他のパラメータの中でも、ＱＣＩ、アップリンク最大ビットレート、割り当て／保持優先度（ＡＲＰ）およびＥＰＳベアラレベルトラフィックフローテンプレート（ベアラＴＦＴ）パラメータは、Ｓ２ａインターフェースを介してＴＷＡＧに対し、３ＧＰＰ  ＴＳ  ２９．２７４（条項８．１５および８．１９を参照）で定められている通りＧＴＰ−ｃメッセージを介して送信されるか、任意のシグナリングメッセージを介してＰＧＷから送信される。ＥＰＳベアラレベルＴＦＴ  ＩＥは、３ＧＰＰ  ＴＳ  ２４．００８の条項１０．５．６．１２で定められており、アップリンクおよびダウンリンクフィルタを含む。
【００５０】
いくつかの配備では、ＰＣＲＦは、（ＶｏＩＰなどのアプリケーションの）ＩＰフローをこれらのＩＰフローに必要とされるＱｏＳ情報（ＱＣＩ）にマッピングするために使用されるトラフィックフィルタ（フロー情報）を含む適切なＱｏＳ要求を、ＡＮ−ＧＷ（例えばＴＷＡＧ）に提供するために、ＡＮ−ＧＷ（例えばＴＷＡＧ）と直接接触し得る。
【００５１】
本発明の第３の実施形態は、新しい専用ベアラを確立するか、既存の専用ベアラを変更する場合にトリガされ得る、以下のステップの少なくとも一部を含み得る：
【００５２】
−  ＵＥに以下のパラメータを含む情報を提供する：ＴＦＴに含まれるトラフィックフィルタリングパラメータ（アップリンクおよびダウンリンクフィルタを含む）、ならびに３ＧＰＰ  ＱｏＳパラメータに対応するＱｏＳパラメータ（場合によりＡＲＰ、ＭＢＲ最大ビットレートを持つＱＣＩ）およびＩＰレベルＱｏＳパラメータ（例えばＤＳＣＰ）とアップリンクトラフィックにＡＮ−ＧＷで適用される３ＧＰＰ  ＱｏＳパラメータとの間のマッピング、または３ＧＰＰ  ＱｏＳパラメータにマップされることも、されないこともあるＩＰレベルＱｏＳパラメータ（例えばＤＳＣＰ）のいずれか。
【００５３】
−  ＴＷＡＧと端末（ＵＥ）との間の任意のシグナリングプロトコルを使用する。
【００５４】
−  前記情報をＴＷＡＧから端末に伝達するために、前記シグナリングプロトコルの新しいダウンリンクメッセージを追加する。
【００５５】
−  以前のメッセージを確認応答するために、端末からＴＷＡＧへの前記シグナリングプロトコルの新しいアップリンクメッセージを追加する。
【００５６】
−  ＴＷＡＧがＳ２ａ  ＧＴＰ  Ｃｒｅａｔｅ  Ｂｅａｒｅｒ  Ｒｅｑｕｅｓｔメッセージ（または、ＰＧＷもしくはＰＣＲＦからの、およびＵＥと関連するトラフィックフローの新しいＱｏＳ要求に関連付けられた、任意のメッセージ）を受信した後に、ＴＷＡＧから端末へのダウンリンクメッセージをトリガする。
【００５７】
言い換えれば、ＥＰＣへのＷＬＡＮアクセスおよびＥＰＣ起動のＱｏＳ制御の考慮した例では、上述した第３の実施形態は、ＵＥに受信されたＱｏＳ制御情報に基づく、ＵＥからのアップリンクトラフィックに対するＥＰＣ起動のＱｏＳ制御のサポートを含む：
【００５８】
−  前記ＱｏＳ制御情報はＵＥに、ＴＷＡＧを介してＰＧＷに対してＵＥにより送信されるアップリンクトラフィックフローを、アップリンクトラフィックへのＴＷＡＮ接続性ＱｏＳと関連付けることを可能とさせる（前記第１の実施形態と同様）。
【００５９】
−  前記ＵＥに受信された前記ＱｏＳ制御情報は、アップリンクトラフィックフローを３ＧＰＰ  ＣＮ接続性ＱｏＳと関連付ける第１のＱｏＳ制御情報と、３ＧＰＰ  ＣＮ接続性ＱｏＳをアップリンクトラフィックへのＴＷＡＮ接続性ＱｏＳにマッピングする第２のＱｏＳ制御情報を含み得る（前記第２の実施形態と同様）。
【００６０】
さらに言い換えれば、これらの第３の実施形態およびこの例では、ＵＥはＴＷＡＧから、以下のいずれかを受信する：
（前記第１の実施形態と同様）アップリンクトラフィックフローをＴＷＡＮ接続性ＱｏＳにマッピングするルール、
または（前記第２の実施形態と同様）以下のマッピングのルール：
−  第１に、アップリンクトラフィックフローからＥＰＣ接続性ＱｏＳへのマッピング、および
−  第２に、ＥＰＣ接続性ＱｏＳからＴＷＡＮ接続性ＱｏＳへのマッピング。
【００６１】
図３では、ＵＥに受信されたＱｏＳ制御情報が、新しいメッセージでＴＷＡＧからＵＥにシグナリングされる「ＱｏＳ情報およびＵＬ  ＴＦＴ」により描写されている。
【００６２】
図３はまた、ＴＷＡＧにおける、ＥＰＣ接続性ＱｏＳ（例えばＱＣＩ）とＴＷＡＮ接続性ＱｏＳ（例えばＤＳＣＰ）との間のマッピングを描写している。
【００６３】
異なる実施形態（上述の実施形態の一部またはすべてを含む）はまた、以下を含み得る：
−  ＩＰレベルパラメータ（例えばＤＳＣＰパラメータ）からの８０２．１１ＱｏＳパラメータへのマッピングは、アクセスポイント（ＡＰ）によりブロードキャストされる情報に基づいて、すなわち図３でＷＬＡＮ  ＡＰシグナリング８０２．１１「ＱｏＳマッピングセット情報要素」により描写されている、ＩＥＥＥ  ８０２．１１で説明されている原理に基づいて、ＵＥにより実施される。
【００６４】
１つの様態において、ユーザ装置（ＵＥ）がパケットデータネットワーク（ＰＤＮ）接続サービスを提供する移動ネットワークにアクセスする移動通信システムにおけるサービス品質ＱｏＳ制御をサポートする方法が提供され、前記移動ネットワークは、信頼できる非３ＧＰＰアクセスネットワーク（ＴＮＡＮ）のアクセスネットワークゲートウェイ（ＡＮ−ＧＷ）と３ＧＰＰコアネットワーク（ＣＮ）のＰＤＮゲートウェイ（ＰＤＮ−ＧＷ）との間のインターフェースを介して前記信頼できる非３ＧＰＰアクセスネットワーク（ＴＮＡＮ）によりアクセスされる前記３ＧＰＰ  ＣＮを含み、前記方法は、前記ＵＥに受信されたＱｏＳ制御情報に基づく、前記ＵＥからのアップリンクトラフィックに対する３ＧＰＰ  ＣＮ起動のＱｏＳ制御のサポートを含み、前記ＱｏＳ制御情報はＵＥに、アクセスネットワークゲートウェイ（ＡＮ−ＧＷ）を介してＰＤＮゲートウェイ（ＰＤＮ−ＧＷ）に対してＵＥにより送信されるアップリンクトラフィックフローを、アップリンクトラフィックへのＴＮＡＮ接続性ＱｏＳと関連付けることを可能とさせる。
【００６５】
単独で使用され得る、または様々な組み合わせにより併用され得る、様々な実施形態が提供される。
【００６６】
一実施形態において、前記ＵＥに受信された前記ＱｏＳ制御情報は、アップリンクトラフィックフローと関連付けられたパケットフィルタ情報を含む。
【００６７】
一実施形態において、前記ＵＥに受信された前記ＱｏＳ制御情報は、アップリンクトラフィックフローとアップリンクトラフィックへのＴＮＡＮ接続性ＱｏＳとの間のマッピングを含む。
【００６８】
一実施形態において、前記ＵＥに受信された前記ＱｏＳ制御情報は、アップリンクトラフィックフローを３ＧＰＰ  ＣＮ接続性ＱｏＳと関連付ける第１のＱｏＳ制御情報と、３ＧＰＰ  ＣＮ接続性ＱｏＳをアップリンクトラフィックへのＴＮＡＮ接続性ＱｏＳにマッピングする第２のＱｏＳ制御情報を含む。
【００６９】
一実施形態において、３ＧＰＰ  ＣＮ接続性ＱｏＳパラメータ情報は、３ＧＰＰ  ＱｏＳパラメータ情報を含む。
【００７０】
一実施形態において、ＴＮＡＮ接続性ＱｏＳパラメータ情報は、ＩＰレベルＱｏＳパラメータ情報を含む。
【００７１】
一実施形態において、前記方法は以下を含む：
−  前記ＡＮ−ＧＷは、アップリンクトラフィックフローを３ＧＰＰ  ＣＮ接続性ＱｏＳと関連付ける第１のＱｏＳ制御情報を前記ＰＤＮ−ＧＷから受信する。
【００７２】
一実施形態において、前記方法は以下を含む：
−  前記ＡＮ−ＧＷは、３ＧＰＰ  ＣＮ接続性ＱｏＳからの、アップリンクトラフィックへのＴＮＡＮ接続性ＱｏＳに対するマッピングを生成する。
【００７３】
一実施形態において、前記方法は以下を含む：
−  前記ＡＮ−ＧＷは、前記ＡＮ−ＧＷと前記ＵＥとの間のシグナリングプロトコルを使用して、アップリンクトラフィックへの前記ＱｏＳ制御情報を前記ＵＥに送信する。
【００７４】
一実施形態において、前記方法は以下を含む：
−  前記ＵＥは、前記ＵＥと前記ＡＮ−ＧＷとの間のシグナリングプロトコルを使用して、前記ＡＮ−ＧＷからの前記ＱｏＳ制御情報の受信を確認応答する。
【００７５】
一実施形態において、ＴＮＡＮ接続性ＱｏＳの、信頼できる非３ＧＰＰ無線ＱｏＳへのマッピングは、前記信頼できる非３ＧＰＰアクセスネットワーク（ＴＮＡＮ）の信頼できる非３ＧＰＰ無線コントローラにより、信頼できる非３ＧＰＰ無線シグナリングを介してＵＥに伝達される。
【００７６】
一実施形態において、ＴＮＡＮ接続性ＱｏＳの、信頼できる非３ＧＰＰ無線ＱｏＳへのマッピングに関する情報は、アクセスネットワークゲートウェイＡＮ−ＧＷと前記信頼できる非３ＧＰＰアクセスネットワーク（ＴＮＡＮ）の信頼できる非３ＧＰＰ無線コントローラとの間で交換される。
【００７７】
一実施形態において、前記方法は以下を含む：
−  前記ＵＥは、アップリンクトラフィックフローをアップリンクトラフィックへの前記ＴＮＡＮ接続性ＱｏＳにマッピングするために、前記ＡＮ−ＧＷからの前記ＱｏＳ制御情報を使用する。
【００７８】
上記の説明に基づいて、他の実施形態も提供され得る。
【００７９】
他の様態において、そのような方法の関連するステップを実行するように構成された様々なエンティティが提供され、前記エンティティは、（排他的ではないが）特に以下を含む：ユーザ装置ＵＥ、信頼できる非３ＧＰＰアクセスネットワークゲートウェイＡＮ−ＧＷ（特に、信頼できるＷＬＡＮアクセスへのＴＷＡＧなど）。
【００８０】
当業者は、様々な上述した方法のステップがプログラム式のコンピュータにより実施され得ることを容易に認識するであろう。本明細書では、いくつかの実施形態はまた、例えば機械またはコンピュータが読み取り可能で、機械実行可能またはコンピュータ実行可能な命令のプログラムを符号化する、デジタルデータ記憶媒体などのプログラム記憶装置を網羅することを意図している。前記命令は、前記上述の方法のステップのいくつかまたはすべてを実施する。プログラム記憶装置は、例えばデジタルメモリ、磁気ディスクや磁気テープなどの磁気記憶媒体、ハードドライブ、または光学的に読み取り可能なデジタルデータ記憶媒体などであり得る。実施形態はまた、上述の方法の前記ステップを実施するためにプログラムされたコンピュータを網羅することを意図している。
【図１】
2018061266.tif 000003
【図２】
2018061266.tif 000004
【図３】
2018061266.tif 000005
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
ユーザ装置ＵＥがパケットデータネットワークＰＤＮ接続サービスを提供する移動ネットワークにアクセスする移動通信システムにおけるサービス品質ＱｏＳ制御をサポートする方法であって、
前記移動ネットワークは、信頼できるＷＬＡＮアクセスネットワークＴＷＡＮにおけるアクセスネットワークゲートウェイＴＷＡＧと３ＧＰＰコアネットワークＣＮにおけるＰＤＮゲートウェイＰＤＮ−ＧＷとの間の３ＧＰＰ  Ｓ２ａインターフェースを介して前記ＴＷＡＮによりアクセスされる前記３ＧＰＰ  ＣＮを含み、
前記方法は、
前記ＵＥに、前記ＴＷＡＧを介して前記ＰＤＮ−ＧＷに対して前記ＵＥにより送信されるアップリンクトラッフィクフローを３ＧＰＰ  ＱｏＳと関連付けることを可能とさせる、トラフィックフローテンプレートＴＦＴと、３ＧＰＰ  Ｓ２ａ専用ベアラに割り当てられた３ＧＰＰ  ＱｏＳパラメータ情報とを、前記ＵＥに提供し、前記３ＧＰＰ  ＱｏＳパラメータ情報は、ＱｏＳクラス識別子ＱＣＩパラメータを含むことと、
前記ＱＣＩパラメータにマッピングされるＤＳＣＰパラメータをアップリンクＩＰパケットに適用することを前記ＵＥに可能とさせるマッピング情報を、前記ＵＥに提供することとを含む、方法。
【請求項２】
前記ＵＥによって送信されるアップリンクトラフィックフローの、３ＧＰＰ  ＱｏＳとの関連付けは、前記ＴＷＡＧが、対応する３ＧＰＰ  Ｓ２ａベアラに向けて前記アップリンクトラフィックフローをルーティングすることを可能にする、請求項１に記載の方法。
【請求項３】
前記３ＧＰＰ  Ｓ２ａ専用ベアラの確立または変更において、前記ＴＷＡＧによって、前記トラフィックフローテンプレートＴＦＴと３ＧＰＰ  ＱｏＳパラメータ情報とを、前記ＵＥに提供することを含む、請求項１または２に記載の方法。
【請求項４】
前記ＴＷＡＧによって、シグナリングプロトコルにより、前記トラフィックフローテンプレートＴＦＴと３ＧＰＰ  ＱｏＳパラメータ情報とを、前記ＵＥに提供することを含む、請求項１ないし３のいずれか一項に記載の方法。
【請求項５】
ユーザ装置ＵＥがパケットデータネットワークＰＤＮ接続サービスを提供する移動ネットワークにアクセスする移動通信システムにおけるサービス品質ＱｏＳ制御をサポートする方法であって、
前記移動ネットワークは、信頼できるＷＬＡＮアクセスネットワークＴＷＡＮにおけるアクセスネットワークゲートウェイＴＷＡＧと３ＧＰＰコアネットワークＣＮにおけるＰＤＮゲートウェイＰＤＮ−ＧＷとの間の３ＧＰＰ  Ｓ２ａインターフェースを介して前記ＴＷＡＮによりアクセスされる前記３ＧＰＰ  ＣＮを含み、
前記方法は、
前記ＵＥに、前記ＴＷＡＧを介して前記ＰＤＮ−ＧＷに対して前記ＵＥにより送信されるアップリンクトラッフィクフローを３ＧＰＰ  ＱｏＳと関連付けることを可能とさせる、トラフィックフローテンプレートＴＦＴと、３ＧＰＰ  Ｓ２ａ専用ベアラに割り当てられた３ＧＰＰ  ＱｏＳパラメータ情報とを、前記ＵＥによって受信し、前記３ＧＰＰ  ＱｏＳパラメータ情報は、ＱｏＳクラス識別子ＱＣＩパラメータを含むことと、
前記ＱＣＩパラメータにマッピングされるＤＳＣＰパラメータをアップリンクＩＰパケットに適用することを前記ＵＥに可能とさせるマッピング情報を、前記ＵＥによって受信することとを含む、方法。
【請求項６】
前記ＵＥによって送信されるアップリンクトラフィックフローの、３ＧＰＰ  ＱｏＳとの関連付けは、前記ＴＷＡＧが、対応する３ＧＰＰ  Ｓ２ａベアラに向けて前記アップリンクトラフィックフローをルーティングすることを可能にする、請求項５に記載の方法。
【請求項７】
前記３ＧＰＰ  Ｓ２ａ専用ベアラの確立または変更において、前記ＴＷＡＧから前記トラフィックフローテンプレートＴＦＴと３ＧＰＰ  ＱｏＳパラメータ情報とを、前記ＵＥによって受信することを含む、請求項５または６に記載の方法。
【請求項８】
前記ＴＷＡＧからシグナリングプロトコルにより、前記トラフィックフローテンプレートＴＦＴと３ＧＰＰ  ＱｏＳパラメータ情報とを、前記ＵＥによって受信することを含む、請求項５または６に記載の方法。
【請求項９】
ユーザ装置ＵＥであって、
信頼できるＷＬＡＮアクセスネットワークＴＷＡＮのアクセスネットワークゲートウェイＴＷＡＧと、前記ＴＷＡＧと３ＧＰＰコアネットワーク３ＧＰＰ  ＣＮのＰＤＮゲートウェイＰＤＮ−ＧＷとの間の３ＧＰＰ  Ｓ２ａインターフェースとを介して前記ＰＤＮ−ＧＷに対して前記ＵＥにより送信されるアップリンクトラッフィクフローを３ＧＰＰ  ＱｏＳと関連付けることを前記ＵＥに可能とさせる、トラフィックフローテンプレートＴＦＴと、３ＧＰＰ  Ｓ２ａ専用ベアラに割り当てられた３ＧＰＰ  ＱｏＳパラメータ情報とを受信し、前記３ＧＰＰ  ＱｏＳパラメータ情報は、ＱｏＳクラス識別子ＱＣＩパラメータを含み、
前記ＱＣＩパラメータにマッピングされるＤＳＣＰパラメータをアップリンクＩＰパケットに適用することを前記ＵＥに可能とさせるマッピング情報を受信するように構成されている、ユーザ装置。
【請求項１０】
前記ＵＥによって送信されるアップリンクトラフィックフローの、３ＧＰＰ  ＱｏＳとの関連付けは、前記ＴＷＡＧが、対応する３ＧＰＰ  Ｓ２ａベアラに向けて前記アップリンクトラフィックフローをルーティングすることを可能にする、請求項９に記載のユーザ装置。
【請求項１１】
前記３ＧＰＰ  Ｓ２ａ専用ベアラの確立または変更において、前記ＴＷＡＧから前記トラフィックフローテンプレートＴＦＴと３ＧＰＰ  ＱｏＳパラメータ情報とを受信するように構成されている、請求項９または１０に記載のユーザ装置。
【請求項１２】
前記ＴＷＡＧからシグナリングプロトコルにより、前記トラフィックフローテンプレートＴＦＴと３ＧＰＰ  ＱｏＳパラメータ情報とを受信するように構成されている、請求項９または１０に記載のユーザ装置。
【外国語明細書】
2018061266000001.pdf